(57)【特許請求の範囲】
【請求項１】
照明灯具の本体と、
前記照明灯具の本体に設置される電池装置と、
前記照明灯具の本体内に設置され、交流電源の交流電流を受け取る、又は前記電池装置の直流電流を受け取る電源切り替え用制御回路と、
前記電源切り替え用制御回路と電気的に接続されると共に複数のＬＥＤダイス（Ｄｉｅｓ）をその上に設置するＬＥＤランプボードと、
前記電源切り替え用制御回路に電気的に接続され、検知範囲内に人体が進入したかを検知するために用いられ、前記人体が前記検知範囲内に進入したことを検知すると、前記電源切り替え用制御回路に人体感知信号を発生させる人体感知装置とを含み、
前記交流電流が特定の数値より大きく、前記人体感知装置が前記人体感知信号を発生させるとき、前記電源切り替え用制御回路は受け取る前記交流電流が前記ＬＥＤランプボードに入るようにさせ、ＬＥＤ照明灯を駆動させて、第１照明パラメータを有する光源を出力するようにし、前記交流電流が前記特定の数値より小さいとき、前記電源切り替え用制御回路は受け取る前記直流電流が前記ＬＥＤランプボードに入るようにさせ、前記ＬＥＤ照明灯を駆動させて、第２照明パラメータを有する光源を出力するようにすることを特徴とする、ＬＥＤ照明灯。
【請求項２】
前記電源切り替え用制御回路と前記交流電源の間に設置され、ユーザーが前記ＬＥＤランプボードの発光照明を制御するための切り替え用スイッチを含み、前記電源切り替え用制御回路は前記直流電流が前記ＬＥＤランプボードに入るようにさせると、前記ＬＥＤ照明灯を駆動させて、前記第２照明パラメータを有する光源を出力し続ける、又は前記第１照明パラメータは前記第２照明パラメータと同一ではない、又は前記第１照明パラメータと前記第２照明パラメータはそれぞれ第１照明輝度と第２照明輝度、又は前記第１照明パラメータと前記第２照明パラメータはそれぞれ第１照明色温度と第２照明色温度であることを特徴とする、請求項１に記載のＬＥＤ照明灯。
【請求項３】
前記電池装置は取替え可能な部材であることを特徴とする、請求項１に記載のＬＥＤ照明灯。
【請求項４】
前記照明灯具の本体はＬＥＤ蛍光灯で構成され、収納空間を設置し、ユーザーが前記電池装置をその中に実装するのを便利にさせる、又は前記照明灯具の本体はＬＥＤランプで構成され、且つこれは上から下の順序で、口金部、放熱装置及び透光ランプシェードを含み、前記電源切り替え用制御回路は前記放熱装置内部に設置され、前記放熱装置の側壁には少なくとも１つの収納空間が設置され、ユーザーが前記電池装置をその中に実装するのを便利にさせる、又は前記照明灯具の本体はＬＥＤランプで構成され、且つこれは上から下の順序で、口金部、放熱装置及び透光ランプシェードを含み、前記電池装置はリング状であり、上から下に前記口金部を貫通し、前記放熱装置の上端部を被覆するように設置する、又は前記電池装置は一部分の構造は外に露出し、ユーザーが前記電池装置を取り替えることが便利であるようにすることを特徴とする、請求項３に記載のＬＥＤ照明灯。
【発明の詳細な説明】
【技術分野】
【０００１】
本発明はユーザーがいつでも電池装置を交換できるＬＥＤ照明灯に関する。
【背景技術】
【０００２】
従来の技術において、照明を提供するためのＬＥＤ照明灯はＬＥＤ蛍光灯とＬＥＤランプなどの種類を含み、ＬＥＤランプは例えば、上から下の順序で口金部、放熱装置、ＬＥＤランプボードと透光ランプシェードを設置する。ここでは、ＬＥＤランプボードにはいくつかのＬＥＤダイス（Ｄｉｅｓ）が設置され、ＬＥＤランプ内には電源制御回路がさらに設置され、ＬＥＤランプが口金部によってソケットにねじ込まれるとき、ＬＥＤランプは市販用電源に接続され、市販用電源を通じて電源を提供する。
【発明の概要】
【発明が解決しようとする課題】
【０００３】
しかしながら、前述した従来のＬＥＤ照明灯では、停電時にもし市販用電源をＬＥＤランプ又はＬＥＤ蛍光灯に提供できないのであれば、ＬＥＤランプ又はＬＥＤ蛍光灯は照明を提供することができない。特に停電の状況下では、一般のＬＥＤランプ又はＬＥＤ蛍光灯は非常用照明を提供することはできない。さらに、現在すでにトンネルなどの場所で普遍的に使用されている非常用感知ランプは、予備電源（例えば、電池）を内に備えているが、一般的な方法は予備電源を非常用ランプ内部に固定しており、ユーザーにとって言えば、このような非常用ランプ内に固定された予備電源は容易に着脱することができず、もちろんユーザーがいつでも取り替えたり、交換したりすることができない。
【０００４】
そこで、本発明者は上記の欠点が改善可能と考え、鋭意検討を重ねた結果、合理的かつ効果的に課題を改善する本発明の提案に到った。
【０００５】
本発明は、このような従来の問題に鑑みてなされたものである。上記課題解決のため、本発明は、ＬＥＤ照明灯を提供することを目的の一とする。すなわち、交換可能な露出式の電池装置を予備電源として非常用照明を提供することにより、構造の簡素化とコストを下げる効果を達成する。
【０００６】
また、従来の技術に存在する欠点に対して、本発明は人体感知装置を有するＬＥＤ照明灯を提供し、露出式の電池装置を予備電源として非常用照明を提供することによって、省エネの効果を達成することを目的の一とする。
【０００７】
また、既存の技術に存在する欠点に対して、本発明はＬＥＤ発光照明を制御可能な押しボタンスイッチと電池装置を有するＬＥＤ照明灯を提供し、停電時に、ユーザーに手持ち型の非常用照明装置を提供することを目的の一とする。
【０００８】
さらに、既存の技術に存在する欠点に対して、本発明は地震感知装置を有するＬＥＤ照明灯を提供し、地震が来たとき、非常用照明を提供することを目的の一とする。
【課題を解決するための手段】
【００２０】
上述した課題を解決し、目的を達成するために、本発明に係るＬＥＤ照明灯は、照明灯具の本体と、前記照明灯具の本体に設置される電池装置と、前記照明灯具の本体内に設置され、交流電源の交流電流を受け取る、又は前記電池装置の直流電流を受け取る電源切り替え用制御回路と、前記電源切り替え用制御回路と電気的に接続されると共に複数のＬＥＤダイス（Ｄｉｅｓ）をその上に設置するＬＥＤランプボードと、前記電源切り替え用制御回路に電気的に接続され、検知範囲内に人体が進入したかを検知するために用いられ、前記人体が前記検知範囲内に進入したことを検知すると、前記電源切り替え用制御回路に人体感知信号を発生させる人体感知装置とを含み、前記交流電流が特定の数値より大きく、前記人体感知装置が前記人体感知信号を発生させるとき、前記電源切り替え用制御回路は受け取る前記交流電流が前記ＬＥＤランプボードに入るようにさせ、前記ＬＥＤ照明灯を駆動させて、第１照明パラメータを有する光源を出力するようにし、前記交流電流が前記特定の数値より小さいとき、前記電源切り替え用制御回路は受け取る前記直流電流が前記ＬＥＤランプボードに入るようにさせ、前記ＬＥＤ照明灯を駆動させて、第２照明パラメータを有する光源を出力するようにすることを特徴とする。
【００２１】
好ましくは、前記電源切り替え用制御回路と前記交流電源の間に設置され、ユーザーが前記ＬＥＤランプボードの発光照明を制御するための切り替え用スイッチを含み、前記電源切り替え用制御回路は前記直流電流が前記ＬＥＤランプボードに入るようにさせると、前記ＬＥＤ照明灯を駆動させて、前記第２照明パラメータを有する光源を出力し続ける、又は前記第１照明パラメータは前記第２照明パラメータと同一ではない、又は前記第１照明パラメータと前記第２照明パラメータはそれぞれ第１照明輝度と第２照明輝度、又は前記第１照明パラメータと前記第２照明パラメータはそれぞれ第１照明色温度と第２照明色温度であることを特徴とする。
【００２５】
好ましくは、前記電池装置は取替え可能な部材であることを特徴とする。
【００２６】
好ましくは、前記照明灯具の本体はＬＥＤ蛍光灯で構成され、収納空間を設置し、ユーザーが前記電池装置をその中に実装することを便利にさせる、又は前記照明灯具の本体はＬＥＤランプで構成され、且つこれは上から下の順序で、口金部、放熱装置及び透光ランプシェードを含み、前記電源切り替え用制御回路は前記放熱装置内部に設置され、前記放熱装置の側壁には少なくとも１つの収納空間が設置され、ユーザーが前記電池装置をその中に実装するのを便利にさせる、又は前記照明灯具の本体はＬＥＤランプで構成され、且つこれは上から下の順序で、口金部、放熱装置及び透光ランプシェードを含み、前記電池装置はリング状であり、上から下に前記口金部を貫通し、前記放熱装置の上端部を被覆するように設置する、又は前記電池装置は一部分の構造は外に露出し、ユーザーが前記電池装置を取り替えることが便利であるようにすることを特徴とする。
【発明の効果】
【００５４】
本発明のＬＥＤ照明灯は交換可能な露出式の電池装置を予備電源として非常用照明を提供することにより、構造の簡素化とコストを下げる効果を達成し、ユーザーの電池装置の交換と維持を便利にさせ、よりエコである。さらに、本発明のＬＥＤ照明灯は人体感知装置によってその検知範囲内の人体に対して感知を行い、照明を制御し、省エネの効果を達成する。これ以外に、本発明のＬＥＤ照明灯はその発光照明を制御可能な押しボタンスイッチを設けることと電池装置をあわせることにより、停電に直面するとき、ユーザーに手持ち型非常用照明を提供する。これ以外に、本発明のＬＥＤ照明灯は地震感知装置を設置することにより、地震が来たとき、非常用照明を提供する。
【図面の簡単な説明】
【００５５】
【図１】本発明の第１実施形態によるＬＥＤ照明灯を示す模式図である。
【図２】本発明の第２実施形態によるＬＥＤ照明灯を示す模式図である。
【図３】本発明のＬＥＤ照明灯の改良構造による第１実施形態を示す模式図である。
【図４】図３に示すＬＥＤ照明灯を他の角度から見た概略図である。
【図５】図３に示すＬＥＤ照明灯の一部構造を示す傾斜の分解図である。
【図６】本発明のＬＥＤ照明灯の改良構造による第２実施形態を示す模式図である。
【図７】図６に示すＬＥＤ照明灯の電池装置が取り外される際の状態を示す概略図である。
【図８】図６に示すＬＥＤ照明灯の着脱可能な電池ケースが取り外される際の状態を示す概略図である。
【図９】本発明のＬＥＤ照明灯の改良構造による第３実施形態を示す模式図である。
【図１０】図９に示すＬＥＤ照明灯を示す傾斜の分解図である。
【図１１】本発明のＬＥＤ照明灯の改良構造による第４実施形態を示す模式図である。
【図１２】図１１に示すＬＥＤ照明灯の一部構造を示す傾斜の分解図である。
【図１３】図１１に示すＬＥＤ照明灯の一部構造を示す傾斜の分解図である。
【図１４】図１１に示すＬＥＤ照明灯の一部構造を示す傾斜の分解図である。
【図１５】本発明のＬＥＤ照明灯の改良構造による第５実施形態を示す模式図である。
【図１６】図１５に示すＬＥＤ照明灯を示す傾斜の分解図である。
【発明を実施するための形態】
【００５６】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【００５７】
以下、第１実施形態を図に基づいて説明する。図１は本発明の第１実施形態によるＬＥＤ照明灯を示す模式図である。ＬＥＤ照明灯１Ａは照明灯具の本体１１Ａ、電池結合手段１２Ａ、電源切り替え用制御回路１３Ａ、ＬＥＤランプボード１４ＡとＬＥＤランプボード１４Ａ上に設置される複数のＬＥＤダイス（Ｄｉｅｓ）１５Ａを含む。ここでは、電源切り替え用制御回路１３ＡとＬＥＤランプボード１４Ａは照明灯具の本体１１Ａ内に設置され、電源切り替え用制御回路１３Ａは交流電源９Ａ、電池結合手段１２ＡとＬＥＤランプボード１４Ａに電気的に接続される。さらに、電池結合手段１２Ａは電池装置８Ａをその中に設置するために用いられ、交流電源９Ａからくる交流電流及び電池装置８Ａからくる直流電流が電源切り替え用制御回路１３Ａに送られるようにし、電源切り替え用制御回路１３Ａは受け取る交流電流及び直流電流のいずれか１つをＬＥＤランプボード１４Ａに送り、ＬＥＤランプボード１４Ａ上の複数のＬＥＤダイス（Ｄｉｅｓ）１５Ａが光源を出力するようにさせる。
【００５８】
好ましくは、電源切り替え用制御回路１３Ａは第１電源入力端１３１Ａ、第２電源入力端１３２Ａ及び電源出力端１３３Ａを有し、第１電源入力端１３１Ａは電池結合手段１２Ａに電気的に接続され、第２電源入力端１３２Ａは交流電源９Ａ（例えば、市販用電源）に電気的に接続され、電源出力端１３３Ａは前記ＬＥＤランプボード１４Ａに電気的に接続されるため、電池装置８Ａからくる直流電流は順番に電池結合手段１２Ａと第１電源入力端１３１Ａを経た後、電源切り替え用制御回路１３Ａに入り、交流電源からくる交流電流は第２電源入力端１３２Ａを経た後、電源切り替え用制御回路１３Ａに入り、電源切り替え用制御回路１３Ａが受け取る交流電流と直流電流のいずれか１つは電源出力端１３３Ａを経てＬＥＤランプボード１４Ａに入る。
【００５９】
さらに、この好ましい実施形態では、電源切り替え用制御回路１３Ａが受け取る交流電流が特定の数値より大きいとき、電源切り替え用制御回路１３Ａは受け取る交流電流がＬＥＤランプボード１４Ａに入るようにさせ、ＬＥＤ照明ランプ１Ａを駆動させ、第１照明パラメータを有する光源を出力するようにし、電源切り替え用制御回路１３Ａが受け取る交流電流が特定の数値より小さいとき、電源切り替え用制御回路１３Ａは受け取る直流電流がＬＥＤランプボード１４Ａに入るようにさせ、ＬＥＤ照明ランプ１Ａを駆動させ、第２照明パラメータを有する光源を出力するようにさせる。
【００６０】
交流電流がＬＥＤランプボード１４Ａに入る前に整流処理を経て直流電流となる、又は交流電流はＬＥＤランプボード１４Ａに入った後、整流処理を経て直流電流となって、はじめてＬＥＤランプボード１４Ａ上の複数のＬＥＤダイス（Ｄｉｅｓ）１５Ａが光源を出力できるということは、当業者が熟知している技術であり、ここでは余分な記述を省略する。
【００６１】
切り替え用スイッチ７Ａは交流電源９Ａと電源切り替え用回路１３Ａとの間に電気的に接続されてもよく、電源切り替え用制御回路１３Ａに入る交流電の電流量を制御する。言い換えるならば、切り替え用スイッチ７Ａがオフ状態にあるとき、電源切り替え用制御回路１３Ａに入る交流電の電流量はとても微小になる。さらに、この好ましい実施形態では、切り替え用スイッチ７Ａがオフ状態にあるとき、又は交流電源９Ａが停電状態にあるとき、電源切り替え用制御回路１３Ａに入る交流電の電流量が前記特定数値より小さくなるように設計できる。
【００６２】
また、この好ましい実施形態では、第１照明パラメータと第２照明パラメータはそれぞれ第１照明輝度と第２照明輝度、又は第１照明パラメータと第２照明パラメータはそれぞれ第１照明色温度と第２照明色温度である。つまり、ＬＥＤ照明灯１Ａが交流電流によって駆動されるときに出力する光源の照明輝度と、ＬＥＤ照明灯１Ａが直流電流によって駆動されるときに出力する光源の照明輝度の両者の光源の照明輝度が互いに異なるとき、これによってもたらされる用途の一つは、切り替え用スイッチ７Ａがオフ状態にある、又は交流電源９Ａ停電状態にあるかどうかをユーザーが容易に判別できるということである。即ち、ユーザーはＬＥＤ照明灯１Ａが電池装置８Ａの電力を消耗しているかどうかを容易に判別できる。
【００６３】
もちろん、ＬＥＤ照明灯１Ａが交流電流によって駆動されるときに出力する光源の照明色温度とＬＥＤ照明灯１Ａが直流電流によって駆動されるときに出力する光源の照明色温度を異なる照明色温度に設計し、上述ＬＥＤ照明灯１Ａが電池装置８Ａの電力を消耗しているかどうかをユーザーが容易に判別できるという目的を達成することもできる。
【００６４】
上述は一つの好ましい実施形態に過ぎず、これに限定されず、前記特定の数値の設定、又は第１照明パラメータと第２照明パラメータの定義は、当業者が実際の応用のニーズに基づき、いかなる同程度の設計変更を行うこともできる。これ以外に、上述第１照明パラメータは第２照明パラメータと同じでもよく、第１照明パラメータは第２照明パラメータと同じではなくてもよい。
【００６５】
図２は本発明の第２実施形態によるＬＥＤ照明灯を示す模式図である。本好ましい実施例のＬＥＤ照明灯１Ｂは本発明の第１好ましい実施形態中で記述されているものと類似しているため、ここでは余分な記述を省略する。
【００６６】
本好ましい実施形態と前述第１好ましい実施形態の異なる点は、ＬＥＤ照明灯１Ｂがさらに人体感知装置１６Ｂを含むことであり、これは電源切り替え用制御回路１３Ｂに電気的に接続され、検知範囲内に人体の存在があるかどうかを検知する。人体感知装置１６Ｂが人体が前記人体検知範囲内に入ったことを検知するとき、人体検知信号を電源切り替え用制御回路１３Ｂに発する。例を挙げて言えば、人体感知装置１６Ｂは人体赤外線感知部材とマイクロ波感知部材の少なくとも１つである。
【００６７】
また、本好ましい実施形態と前述第１好ましい実施形態の別の異なる点は、電源切り替え用制御回路１３Ｂは以下の２つの要件のどちらも満たす状況下ではじめて受け取る交流電流がＬＥＤライトボード１４Ｂに入るようにさせることであり、ＬＥＤ照明灯１Ｂを駆動させて、第１照明パラメータを有する光源を出力する。第１の要件は電源切り替え用制御回路１３Ｂが受け取る交流電流の電流量は特定の数値より大きい必要があり、第２の要件は人体感知装置１６Ｂが検知範囲内に人体が存在することを検知して人体感知信号を電源切り替え用制御回路１３Ｂに発することである。
【００６８】
例えば、交流電源９Ｂが正常電源供給にあり、切り替え用スイッチ７Ｂがオンの状態にある、若しくは人体感知装置１６Ｂがその検知範囲内に人体の存在があることを検知していない場合、ＬＥＤ照明灯１Ｂは光源を出力せず、省エネの効果を達成する。人体感知装置１６Ｂが人体が検知範囲内に入ったことを検知したとき、ＬＥＤ照明灯１Ｂを駆動させ、第１照明パラメータを有する光源を出力する。
【００６９】
なお、交流電源９Ｂが停電状態、又は切り替え用スイッチ７Ｂがオフの状態のとき、電源切り替え用制御回路１３Ｂが受け取る交流電流は特定の数値より小さいため、受け取る直流電流はＬＥＤライトボード１４Ｂに入り、ＬＥＤ照明灯１Ｂを駆動させ、第２照明パラメータを有する光源を出力する。
【００７０】
ユーザーが切り替え用スイッチ７Ｂがオフ状態、又は交流電源が停電状態にあるかどうかを容易に判別できるようにするため、つまり、ユーザーが容易にＬＥＤ照明灯１Ｂが電池装置８Ｂの電力を消耗しているかを容易に判別するため、第１照明パラメータを第２照明パラメータと異なるように設計することができる。もし第１照明パラメータが第２照明パラメータと同じであるならば、交流電源９Ｂが停電の状況、又は切り替え用スイッチ７Ｂがオフの状態にあるとき、電源切り替え用制御回路１３Ｂは直流電流がＬＥＤランプボード１４Ｂに入り続けるようにし、ＬＥＤ照明ランプ１Ｂが光源を出力し続けるようにさせる。
【００７１】
ちなみに、この好ましい実施形態では、電池装置８ＢはＬＥＤ照明灯１Ｂが作られる前に電池結合手段１２Ｂ内に設置され、ユーザーが自ら着脱と交換をすることができない。もちろん、上述第１好ましい実施形態と第２好ましい実施形態では、作られた後のＬＥＤ照明灯１Ａ、１Ｂが電池結合手段１２Ａ、１２Ｂのみを有するように設計でき、電池装置８Ａ、８Ｂは取替え可能な部材であり、ユーザーは自ら電池装置８Ａ、８ＢをＬＥＤ照明灯１Ａ、１Ｂの電池結合手段１２Ａ、１２Ｂに設置する。
【００７２】
さらに、上述第１好ましい実施形態と第２好ましい実施形態では、電池結合手段１２Ａ、１２ＢはｌＥＤ照明灯１Ａ、１Ｂが作られる前に照明灯具の本体１１Ａ、１１Ｂ内に固定設置され、ユーザーは自ら電池結合手段１２Ａ、１２Ｂを着脱し、交換することができないが、ユーザーは自ら電池装置８Ａ、８Ｂを電池結合手段１２Ａ、１２Ｂ内に設置することができる。
【００７３】
もちろん、作られた後のＬＥＤ照明灯１Ａ、１Ｂの電池結合手段１２Ａ、１２Ｂは取替え可能な部材でもよく、ユーザーは自ら電池装置８Ａ、８Ｂを電池結合手段１２Ａ、１２Ｂと結合させた後、一緒にＬＥＤ照明灯１Ａ、１Ｂの照明灯具の本体１１Ａ、１１Ｂ内に組み立て設置することができる。
【００７４】
したがって、本発明は別途新しいＬＥＤ照明灯の改良構造を提供し、主には照明灯具の本体１１Ａ、１１Ｂの外部側面に収納空間を有し、電池結合手段１２Ａ、１２Ｂを設置し、電池結合手段１２Ａ、１２Ｂは照明灯具の本体１１Ａ、１１Ｂの放熱フィンの外部に露出し（後述を参照）、ユーザーがそれぞれ電池装置８Ａ、８Ｂを電池結合手段１２Ａ、１２Ｂ内に接続することを便利にさせる、又は電池装置８Ａ、８Ｂを電池結合手段１２Ａ、１２Ｂから着脱することを便利にさせる。
【００７５】
以下少なくとも五種類の好ましい実施形態を挙げて説明するが、これにより本発明の保護範囲を限定するわけではない。
【００７６】
（第１実施形態）
図３は本発明のＬＥＤ照明灯の改良構造による第１実施形態を示す模式図であり、図４は図３の他の角度から見られるＬＥＤ照明灯を示す概略図であり、図５は図３に示すＬＥＤ照明灯の一部構造を示す傾斜の分解図である。
【００７７】
この実施形態では、ＬＥＤ照明灯１Ｃの照明灯具の本体はＬＥＤ蛍光灯１１Ｃであり、電池結合手段は着脱可能な電池ケース１２Ｃであり、ＬＥＤ蛍光灯１１Ｃは収納空間１１１Ｃによって着脱可能な電池ケース１２Ｃを収納し、電池装置８Ｃは着脱可能な電池ケース１２Ｃ内に設置され、非常用予備電源を提供する。
【００７８】
ＬＥＤランプボード（図示せず）はＬＥＤ蛍光灯１１Ｃ内に固定され、ＬＥＤ蛍光灯１１Ｃの両端にはそれぞれ電源接続ピン１１２Ｃが設置され、交流電源（例えば、市販用電源（図示せず）図１及び図２参照）に接続され、電気的に接続されるソケット（図示せず）となり、電源切り替え用制御回路（図示せず、図１及び図２参照）はＬＥＤランプボード（図示せず、図１及び図２参照）上に形成され、着脱可能な電池ケース１２Ｃが収納空間１１１Ｃに置かれ、電池装置８Ｃが着脱可能な電池ケース１２Ｃに接続されるとき、着脱可能な電池ケース１２Ｃは電源切り替え用制御回路と電気的に接続され、電池装置８Ｃが電源切り替え用制御回路の第１電源入力端（図示せず、図１及び図２参照）と電気的に接続される。
【００７９】
なお、電源切り替え用制御回路の第２電源入力端（図示せず、図１及び図２参照）は電源接続ピン１１２Ｃと電気的に接続され、電源切り替え用制御回路の電源出力端（図示せず、図１及び図２参照）はＬＥＤランプボードと電気的に接続される。ここでは、電源切り替え用制御回路は第１電源入力端又は第２電源入力端の接続を切り替えるために用いられ、交流電源（例えば、市販用電源）又は電池装置８Ｃと対応して接続される。また、交流電源（例えば、市販用電源）を提供するとき、電源切り替え用制御回路は第２電源入力端を通って交流電源（例えば、市販用電源）と接続され、この時、交流電源（例えば、市販用電源）をＬＥＤ蛍光灯１１Ｃに提供し、照明を提供し、電池装置８Ｃの電力を使用しない。交流電源（例えば、市販用電源）が停電時、又は切り替え用スイッチ（図示せず、図１及び図２参照）がオフ状態のとき、電源切り替え用回路は第１電源入力端を通って電池装置８Ｃに接続され、この時、電池装置８ＣはＬＥＤ蛍光灯１１Ｃに電源を供給し、非常用照明を提供する。
【００８０】
この実施形態では、電池装置８Ｃは取替え可能な部材でよく、いつでもＬＥＤ蛍光灯１１Ｃの着脱可能な電池ケース１２Ｃ中から取り外すことができ、いつでもＬＥＤ蛍光灯１１Ｃの着脱可能な電池ケース１２Ｃに接続させることができ、ユーザーが交換と補修を行うことを便利にし、電池装置８Ｃは取り外して分類回収処理することが便利であるため、エコ回収の利便性を高める。また、電池装置８Ｃはバッテリー、リチウム電池、乾電池又は充電電池から選ぶことができ、電池装置８Ｃの汎用性は高く、補修と交換に便利である。
【００８１】
この実施形態では、ＬＥＤ蛍光灯１１Ｃは円柱形状であり、その下半分の部分は透光ケースであり、ＬＥＤランプボード上の複数のＬＥＤダイス（Ｄｉｅｓ）（図示せず、図１及び図２参照）が提供する光源は外に向けて射出することができる。さらに、収納空間１１１ＣはＬＥＤ蛍光灯１１Ｃの上半分の部分に設置される。好ましくは、ＬＥＤ照明灯１Ｃはさらに着脱可能な電池ケース１２Ｃの開口部と係合するふた１７Ｃを含み、電池装置８Ｃが着脱可能な電池ケース１２Ｃに収納されるとき、ＬＥＤ蛍光灯１１Ｃは元々の外観を保持し、ＬＥＤ蛍光灯１１Ｃのソケットとその他の対応する補助設備を変更する必要がなく、電池装置８Ｃを保護することができる。
【００８２】
ここでは、着脱可能な電池ケース１２Ｃには電源接続コード（図示せず）が設けられ、収納空間１１１Ｃ内には電源インターフェース（図示せず）が設置され、これは電源切り替え用制御回路の第１電源入力端に電気的に接続されるため、着脱可能な電池ケース１２Ｃが収納空間１１１Ｃに接続されるとき、電源接続コードは電源インターフェースに接続され、着脱可能な電池ケース１２Ｃは電源切り替え用制御回路の第１電源入力端に電気的に接続される。
【００８３】
あるいは、着脱可能な電池ケース１２Ｃには電源接触ピン（図示せず）が設けられ、収納空間１１１Ｃ内には電極コンタクト（図示せず）が設置され、これは電源切り替え用制御回路の第１電源入力端に電気的に接続されるため、着脱可能な電池ケース１２Ｃが収納空間１１１Ｃに接続されるとき、電源接触ピンは電極コンタクトに接続され、着脱可能な電池ケース１２Ｃは電源切り替え用制御回路の第１電源入力端に電気的に接続される。
【００８４】
また、ＬＥＤ照明灯１Ｃの人体感知装置１６ＣはＬＥＤ蛍光灯１１Ｃの下半分の中間位置又は側面位置に固定される。人体感知装置１６Ｃは検知範囲内に人体が進入したかどうかを感知するために用いられ、もし人体がその検知範囲内に進入したことを感知した場合、人体感知信号を電源切り替え用制御回路に発し、ＬＥＤ蛍光灯１１Ｃをオンにし、照明を提供する。例えば、本実施形態中の人体感知装置１６Ｃは人体赤外線感知部材である。しかし、マイクロ波感知部材で前述の人体赤外線感知部材を置き換えてもよい。
【００８５】
ちなみに、上述はＬＥＤ照明灯の一実施形態であるだけであり、この電池結合手段は着脱可能な電池ケースでなくてもよく、例えば、照明灯具の本体（ＬＥＤ蛍光灯）と電池結合手段（着脱不可能な電池ケース）は一体形成されるため、ユーザーは自ら電池結合手段を照明灯具の本体内から取り出すことができない。しかしながら、ユーザーは自ら前述着脱不可能で、局部が露出した電池ケース中から電池装置をいつでも取り出すことができる。
【００８６】
（第２実施形態）
図６は本発明のＬＥＤ照明灯の改良構造による第２実施形態を示す模式図である。この実施形態では、ＬＥＤ照明灯１Ｄの照明灯具の本体はＬＥＤランプ１１Ｄであり、上から下の順序で口金部１１３Ｄ、放熱装置１１４Ｄと透光ランプシェード１１５Ｄを設置し、ＬＥＤランプボード（図示せず、図１及び図２参照）と電源切り替え用制御回路（図示せず、図１及び図２参照）をＬＥＤランプ内に設置し、口金部１１３Ｄは交流電源（例えば、市販用電源（図示せず）図１及び図２参照）と接続させるために用いられ、ソケット（図示せず）と電気的に接続される。好ましくは、放熱装置１１４Ｄの側壁には複数の放熱フィン１１４１Ｄが設置され、その内部に収納空洞（図示せず）を開設し、電源切り替え用制御回路をその中に設置する。
【００８７】
また、放熱装置１１４Ｄの側壁には収納空間１１１Ｄ（図８参照）があり、電池結合手段を収納し、電池結合手段は着脱可能な電池ケース１２Ｄであり、電池装置８Ｄをその中に設置し、非常用予備電源を提供する。ここでは、着脱可能な電池ケース１２Ｄは局部が放熱装置１１４Ｄの外に露出しており、電池ケース１２Ｄ中の電池装置８Ｄを実装させ、外部が露出した状態であり、ユーザーが交換することを便利にさせる。
【００８８】
この実施形態では、放熱装置１１４Ｄの側壁には３つの収納空間１１１Ｄが開設され、均等分布されており、３つの着脱可能な電池ケース１２Ｄを収納するために用いられる。もちろん、収納空間１１１Ｄの数量及び着脱可能な電池ケース１２Ｄの数量はこれに限定されず、当業者は実際の応用ニーズに基づき、いかなる同程度の設計変更を行うことができる。
【００８９】
さらに、図６に示すように、着脱可能な電池ケース１２Ｄが収納空間１１１Ｄに置かれ、電池装置８Ｄが着脱可能な電池ケース１２Ｄに接続されるとき、着脱可能な電池ケース１２Ｄは電源切り替え用制御回路に電気的に接続され、電池装置８Ｄは電源切り替え制御用回路の第１電源入力端（図示せず、図１及び図２参照）に電気的に接続される。
【００９０】
なお、口金部１１３Ｄには口金部電極（図示せず）が設置され、電源切り替え用制御回路の第２電源入力端（図示せず、図１及び図２参照）に電気的に接続され、電源切り替え用回路の電源出力端（図示せず、図１及び図２参照）はＬＥＤライトボードに電気的に接続される。ここでは、電源切り替え用制御回路は第１電源入力端又は第２電源入力端の接続を切り替えるために用いられ、交流電源（例えば、市販用電源）又は電池装置８Ｄと対応して接続される。
【００９１】
交流電源（例えば、市販用電源）を提供するとき、電源切り替え用制御回路は第２電源入力端を通って交流電源（例えば、市販用電源）と接続され、この時、交流電源（例えば、市販用電源）をＬＥＤランプ１１Ｄに提供し、照明を提供し、電池装置８Ｄの電力を使用しない。交流電源（例えば、市販用電源）が停電時、又は切り替え用スイッチ（図示せず、図１及び図２参照）がオフ状態のとき、電源切り替え用回路は第１電源入力端を通って電池装置８Ｄに接続され、この時、電池装置８ＤはＬＥＤランプ１１Ｄに電源を供給し、非常用照明を提供する。
【００９２】
この実施形態では、電池装置８Ｄは取替え可能な部材でよい。図７は図６に示すＬＥＤ照明灯の電池装置が取り外される際の状態を示す概略図である。図７は電池装置８Ｄがいつでも着脱可能で、露出式の電池ケース１２中から取り外すことができることを説明しており、いつでも着脱可能な電池ケース１２Ｄ中から取り外すことができ、ユーザーが交換と補修を行うことを便利にし、電池装置８Ｄは外に露出しているため、取り外して分類回収処理することが便利であるため、エコ回収の利便性を高める。また、電池装置８Ｄはバッテリー、リチウム電池、乾電池又は充電電池から選ぶことができ、電池装置８Ｄの汎用性は高く、補修と交換をすることが便利である。
【００９３】
好ましくは、ＬＥＤ照明灯１Ｄは着脱可能な電池ケース１２Ｄの開口部に係合するふた（図示せず）を含み、電池装置８Ｄは着脱可能な電池ケース１２Ｄに収納されるとき、ＬＥＤランプ１１Ｄは元々の外観を保持し、電池装置８Ｄを保護できる。
【００９４】
図８は図６に示すＬＥＤ照明灯の着脱可能な電池ケースが取り外される際の状態を示す概略図である。この実施形態では、着脱可能な電池ケース１２Ｄの頂点部には係止ピン１２１が設置され、その底部には位置決め溝部１２２が設置され、収納空間１１１Ｄの頂点部には止め金部（図示せず）が設置され、その底部には位置決め板１１１１が設置される。ここでは、着脱可能な電池ケース１２Ｄが収納空間１１１Ｄに接続されるとき、着脱可能な電池ケース１２Ｄの係止ピン１２１は収納空間１１１Ｄの止め金部と係合し、収納空間１１１Ｄの位置決め板１１１１は着脱可能な電池ケース１２Ｄの位置決め溝部１２２内に挿入される。
【００９５】
さらに、着脱可能な電池ケース１２Ｄには電源接触ピン（図示せず）が設置され、収納空間１１１１Ｄ内には電極コンタクト（図示せず）が設置され、これは電源切り替え用制御回路の第１電源入力端に電気的に接続されるため、着脱可能な電池ケース１２Ｄが収納空間１１１Ｄに接続されるとき、電源接触ピンは電極コンタクトと接触し、着脱可能な電池ケース１２Ｄは電源切り替え用制御回路の第１電源入力端に電気的に接続されるため、これは組み立てが容易であり、接続が容易である。
【００９６】
これ以外に、ＬＥＤ照明灯１Ｄの人体感知装置１６Ｄ（凸球状）は透光ランプシェード１１５Ｄの底部に設置され、人体感知装置１６Ｄは検知範囲内に人体が進入したかを感知するために用いられ、もし人体がその検知範囲に進入することを感知した場合、人体感知信号を電源切り替え用制御回路に発し、ＬＥＤランプ１１Ｄをオンにし、照明を提供する。例を挙げて言えば、本実施形態中の人体感知装置１６Ｄは人体赤外線感知部材である。しかし、マイクロ波感知部材で前述の人体赤外線感知部材を置き換えてもよい。
【００９７】
ちなみに、上述はＬＥＤ照明灯の一実施形態であるだけであり、この電池結合手段は着脱不可能な電池ケースでもよく、例えば照明灯具の本体（ＬＥＤランプ）と電池結合手段（着脱不可能な電池ケース）を一体形成してもよく、電池結合手段は照明灯具の本体内から取り出すことができない。しかし、ユーザーは自ら前述の着脱不可能で局部が外に露出している電池ケース中からいつでも電池装置を取り出すことができる。
【００９８】
（第３実施形態）
図９は本発明のＬＥＤ照明灯の改良構造による第３実施形態を示す模式図であり、図１０は図９に示すＬＥＤ照明灯を示す傾斜の分解図である。この実施形態では、ＬＥＤ照明灯１Ｅの照明灯具の本体はＬＥＤランプ１１Ｅであり、これは上から下の順序で口金部１１３Ｅ、放熱装置１１４Ｅ、透光ランプシェード１１５Ｅを設置し、ＬＥＤランプボード（図示せず、図１及び図２参照）と電源切り替え用制御回路（図示せず、図１及び図２参照）はＬＥＤランプ１１Ｅ内に設置され、口金部１１３Ｅは交流電源（例えば、市販用電源（図示せず）図１及び図２参照）と接続するために用いられ、電気的に接続されるソケット（図示せず）となる。好ましくは、放熱装置１１４Ｅの側壁には複数の放熱フィン１１４１Ｅが設置され、その内部には収納空洞（図示せず）が開設され、電源切り替え用制御回路をその中に設置する。
【００９９】
また、放熱装置１１４Ｅの上端部の周囲側壁には収納空間１１１Ｅがあり、電池結合手段を収納し、本実施形態では、電池結合手段は着脱可能な電池ケース１２Ｅであり、電池装置８Ｅをその内側に設置し、非常用予備電源を提供する。これ以外に、電池装置８Ｅを着脱可能な電池ケース１２Ｅに設置した後、着脱可能な電池ケース１２Ｅを上から下に貫通する口金部１１３は放熱装置１１４Ｅの上端部を被覆し、収納空間１１１Ｅに置かれる。
【０１００】
さらに、着脱可能な電池ケース１２Ｅは収納空間１１１Ｅに置かれ、電池装置８Ｅが着脱可能な電池ケース１２Ｅの内側に設置されるとき、着脱可能な電池ケース１２Ｅは電源切り替え用制御回路に電気的に接続され、電池装置８Ｅは電源切り替え用制御回路の第１電源入力端に電気的に接続される。
【０１０１】
なお、口金部１１３Ｅには口金部電極（図示せず）が設置され、電源切り替え用制御回路の第２電源入力端に電気的に接続され、電源切り替え用制御回路の電源出力端はＬＥＤライトボードに電気的に接続される。ここでは、電源切り替え用制御回路は第１電源入力端又は第２電源入力端との接続を切り替えるために用いられ、交流電源（例えば、市販用電源）又は電池装置８Ｅと対応して接続される。
【０１０２】
交流電源（例えば、市販用電源）を提供するとき、電源切り替え用制御回路は第２電源入力端を経て交流電源（例えば、市販用電源）に接続され、この時、交流電源（例えば、市販用電源）をＬＥＤランプ１１Ｅに提供し、照明を提供し、電池装置８Ｅの電力を使用しない。交流電源（例えば、市販用電源）が停電時、又は切り替え用スイッチ（図示せず、図１及び図２参照）がオフ状態の時、電源切り替え用制御回路は第１電源入力端を経て電池装置８Ｅと接続され、この時、電池装置８ＥはＬＥＤランプ１１Ｅに電気を供給し、非常用照明を提供する。
【０１０３】
この実施形態では、電池装置８Ｅはリング状であると共に取替え可能な部材であり、これはいつでも着脱可能な電池ケース１２Ｅ中から取り外すことができ、いつでも着脱可能な電池ケース１２Ｅ中に接続することができ、ユーザーが交換と補修を行うことを便利にし、電池装置８Ｅは取り外して分類回収処理することが便利であるため、エコ回収の利便性を高める。なお、電池装置８Ｅはバッテリー、リチウム電池、乾電池又は充電電池から選ぶことができ、電池装置８Ｃの汎用性は高く、補修と交換をすることが便利である。
【０１０４】
この実施形態では、口金部１１３Ｅの下端部には少なくとも１つの止め金部１１３１が設置され、着脱可能な電池ケース１２Ｅが収納空間１１１Ｅにおかれるとき、着脱可能な電池ケース１２Ｅの上端部は口金部１１３Ｅの下端部の少なくとも１つの止め金部１１３１に係合され、着脱可能な電池ケース１２Ｅの下端部は放熱装置１１４Ｅの上端部に当接するため、着脱可能な電池ケース１２Ｅは放熱装置１１４Ｅの上端部の収納空間１１１Ｅ中に固定可能である。
【０１０５】
もし着脱可能な電池ケース１２ＥをＬＥＤランプ１１Ｅ上から取り外したいとき、着脱可能な電池ケース１２Ｅを下から上に押すだけでよく、着脱可能な電池ケース１２Ｅの上端部は口金部１１３Ｅの下端部の止め金部１１３１から外れ、着脱可能な電池ケース１２Ｅを取り外すことができる。これからわかるように、着脱可能な電池ケース１２Ｅの組み立てと取り外しは簡単であり、便利で手軽であり、ＬＥＤランプ１１Ｅは素早く電池装置８Ｅを交換することができる。
【０１０６】
さらに、着脱可能な電池ケース１２Ｅには電源接触ピン（図示せず）が設置され、収納空間１１１Ｅには電極コンタクト（図示せず）が設置され、これは電源切り替え用制御回路の第１電源入力端に電気的に接続されるため、着脱可能な電池ケース１２Ｅが収納空間１１１Ｅに組み立てられるとき、電源接触ピンは電極コンタクトに接続され、着脱可能な電池ケース１２Ｅは電源切り替え用制御回路の第１電源入力端に電気的に接続されるため、その組み立てが容易であり、接続が容易である。
【０１０７】
これ以外に、ＬＥＤ照明灯１Ｅの人体感知装置１６Ｅ（凸球状）を透光ランプシェード１１５Ｅの底部に設置し、人体感知装置１６Ｅは検知範囲内に人体が進入したかどうかを感知するために用いられ、もし人体がその検知範囲内に進入したことを感知した場合、人体感知信号を電源切り替え用制御回路に発し、ＬＥＤランプ１１Ｅをオンにし、照明を提供する。
【０１０８】
例えば、本実施例中の人体感知装置１６Ｅは人体赤外線感知部材である。しかし、マイクロ波感知部材で前述の人体赤外線感知部材を置き換えてもよい。
【０１０９】
もちろん、この実施形態では、当業者であれば、容易に構造設計を変更し、本実施例中の電池装置８Ｅを外に露出する方式と電池ケース１２Ｅが相互に組み立てられるようにしてもよく、いずれも均等の設計変更であるため、ここでは余分な記述を省略する。
【０１１０】
（第４実施形態）
図１１は本発明のＬＥＤ照明灯の改良構造による第４実施形態を示す模式図であり、図１２ないし図１４は図１１に示すＬＥＤ照明灯の一部構造を示す傾斜の分解図である。この実施形態では、ＬＥＤ照明灯１Ｆの照明灯具の本体はＬＥＤランプ１１Ｆであり、これは上から下の順序で、口金部１１３Ｆ、放熱装置１１４Ｆと透光ランプシェード１１５Ｆを設置し、ＬＥＤランプボード（図示せず、図１及び図２参照）と電源切り替え用制御回路（図示せず、図１及び図２参照）をＬＥＤランプ内に設置し、口金部１１３Ｆは交流電源（例えば、市販用電源（図示せず）図１及び図２参照）と接続するために用いられ、電気的に接続されるソケット（図示せず）となる。より好ましくは、放熱装置１１４Ｆの側壁には複数の放熱フィン１１４１Ｆが設置され、その内部には収納空洞（図示せず）が開設され、電源切り替え用制御回路をその中に設置する。
【０１１１】
また、放熱装置１１４Ｆの側壁には収納空間（図８参照）があり、電池結合手段を収納し、電池結合手段は着脱可能な電池ケース１２Ｆであり、電池装置８Ｆをその中に設置し、非常用予備電源を提供する。ここでは、着脱可能な電池ケース１２Ｆは局部を放熱装置１１４Ｆの外に露出させ、電池ケース１２Ｆ中の電池装置８Ｆを実装させ、外部露出状であり、ユーザーが交換することを便利にさせる。ここでは、着脱可能な電池ケース１２Ｆの頂点部と底部のどちらにもそれぞれ係止ピン１２３、１２４（図１２参照）が設置され、ＬＥＤランプ１１Ｆと相互に係合され、組み立てられる。
【０１１２】
この実施形態では、放熱装置１１４Ｆの側壁には２つの収納空間が開設され、対称に配置され、２つの着脱可能な電池ケース１２Ｆを収納するために用いられる。もちろん、収納空間の数量及び着脱可能な電池ケース１２Ｆの数量はこれに限定されず、これは当業者が実際の応用ニーズに基づき、均等な設計変更を行うことができる。
【０１１３】
また、ＬＥＤ照明灯１Ｆの人体感知装置１６Ｆ（凸球状ではない）を透光ランプシェード１１５Ｆの底部に設置し、人体感知装置１６Ｆは検知範囲内に人体が進入したかどうかを感知するために用いられ、もし人体がその検知範囲内に進入したことを感知した場合、人体感知信号を電源切り替え用制御回路に発し、ＬＥＤランプ１１Ｆをオンにし、照明を提供する。
【０１１４】
例えば、本実施形態中の人体感知装置１６Ｆは人体赤外線感知部材である。しかし、マイクロ波感知部材で前述の人体赤外線感知部材を置き換えてもよい。
【０１１５】
本実施形態と前述の第２好ましい実施形態との間の異なる点の一つは、本実施形態中のＬＥＤ照明灯１ＦはさらにＬＥＤ照明灯１Ｆ内部（外に露出しない）の電池ケース１８Ｆに設置される押しボタンスイッチ１７Ｆを含み、押しボタンスイッチ１７Ｆと電池ケース１８Ｆをその上に設置し、両者を相互に電気的に接続する電池回路基板１７１Ｆを提供する点である。このようにして、停電に直面するとき、ユーザーはＬＥＤ照明灯１Ｆを自ら前述ソケットから取り外し、手持ちランプとして使用し、押しボタンスイッチ１７Ｆによって手持ちランプの照明オンオフを制御する。
【０１１６】
本実施形態と前述第２好ましい実施形態との間の別の異なる点は、本実施形態中のＬＥＤ照明灯１Ｆはさらに、ＬＥＤ照明灯１Ｆの駆動回路基板２０Ｆ上に設置される地震感知モジュール１９Ｆを含む点である。ここでは、地震感知モジュール１９Ｆはマイクロマシンチップ構造の重力感知装置（Ｇ−Ｓｅｎｓｏｒ）に属し、駆動回路基板２０Ｆはさらに、少なくとも図１、図２に示される電源切り替え用制御回路１３Ａ、１３Ｂと切り替え用スイッチ７Ａ、７Ｂ内にある駆動又は制御部材をその上に設置する。
【０１１７】
こうして、地震に直面するとき、地震感知モジュール１９Ｆは地震感知信号を発し、ＬＥＤ照明灯１Ｆ中のＬＥＤランプボードが照明出力を発し続けるようにし、地震時に必要な非常用予備電源を提供する。
【０１１８】
もちろん、ＬＥＤ照明灯１Ｆがユーザーによって自ら取り外されて手持ち型非常用照明装置として使用されるとき、地震感知モジュール１９は自主制御又は受動制御方式から禁止状態に変更され、誤差等が発生することを防ぐ。
【０１１９】
（第５実施形態）
図１５は本発明のＬＥＤ照明灯の改良構造による第５実施形態を示す模式図であり、図１６は図１５に示すＬＥＤ照明灯を示す傾斜の分解図である。この実施形態では、ＬＥＤ照明灯１Ｇの照明灯具の本体はＬＥＤランプ１１Ｇであり、これは上から下の順序で、口金部１１３Ｇ、放熱装置１１４Ｇ、透光ランプシェード１１５Ｇと押しボタンスイッチ１７Ｇを設置し、ＬＥＤランプボード（図示せず、図１及び図２参照）と電源切り替え用制御回路（図示せず、図１及び図２参照）をＬＥＤランプ内に設置し、口金部１１３Ｇは交流電源（例えば、市販用電源（図示せず）図１及び図２参照）と接続するために用いられ、電気的に接続されるソケット（図示せず）となる。好ましくは、放熱装置１１４Ｇの側壁には複数の放熱フィン１１４１Ｇが設置され、その内部には収納空洞（図示せず）が開設され、電源切り替え用制御回路をその中に設置する。
【０１２０】
また、放熱装置１１４Ｇの側壁には収納空間１１１Ｇ（図８参照）があり、電池結合手段を収納し、電池結合手段は着脱可能な電池ケース１２Ｇであり、電池装置（図示せず）をその中に設置し、非常用予備電源を提供する。ここでは、着脱可能な電池ケース１２Ｇは局部が放熱装置１１４Ｇの外に露出してもよく、電池ケース１２Ｇ中の電池装置を実装し、外部に露出した状態であり、ユーザーが交換することを便利にする。ここでは、着脱可能な電池ケース１２Ｇの頂点部と底部にはそれぞれ係止ピン１２５、１２６（図１６参照）が設置され、ＬＥＤランプ１１Ｇと相互に係合され、組み立てられる。
【０１２１】
この実施形態では、放熱装置１１４Ｇの側壁には３つの収納空間１１１Ｇが開設され、対称に配置され、３つの着脱可能な電池ケースを収納するために用いられる。もちろん、収納空間の数量と着脱可能な電池ケース１２Ｇの数量はこれに限定されず、これは当業者が実際の応用ニーズに基づき、いかなる均等の設計変更をも行うことができる。
【０１２２】
これ以外に、ＬＥＤ照明灯１Ｆの人体感知装置（凸球状ではない（図示せず））を透光ランプシェード１１５Ｇの底部に設置し、人体感知装置は検知範囲内に人体が進入したかどうかを感知するために用いられ、もし人体がその検知範囲に進入したことを感知した場合、人体感知信号を電源切り替え用制御回路に発し、ＬＥＤランプ１１Ｇをオンにし、照明を提供する。例えば、本実施形態の人体感知装置は人体赤外線感知部材、又はマイクロ波感知部材であり、もちろん、本実施形態が停電に直面するとき、ユーザーはＬＥＤ照明灯１Ｇを自ら前記ソケットから取り外し、手持ちランプとして使用することができ、押しボタンスイッチ１７Ｇによって手持ちランプの照明スイッチを制御する。
【０１２３】
以上、本発明の実施形態について図面を参照して詳述したが、具体的な構成はこの実施形態に限られるものではなく、本発明の要旨を逸脱しない範囲の設計変更等も含まれる。
【図１】
0006041873.tif 000002
【図２】
0006041873.tif 000003
【図３】
0006041873.tif 000004
【図４】
0006041873.tif 000005
【図５】
0006041873.tif 000006
【図６】
0006041873.tif 000007
【図７】
0006041873.tif 000008
【図８】
0006041873.tif 000009
【図９】
0006041873.tif 000010
【図１０】
0006041873.tif 000011
【図１１】
0006041873.tif 000012
【図１２】
0006041873.tif 000013
【図１３】
0006041873.tif 000014
【図１４】
0006041873.tif 000015
【図１５】
0006041873.tif 000016
【図１６】
0006041873.tif 000017